(57)【要約】【課題】  変形し難く、かつ、収納したトロイダルコアが露出し難いことにより外観上優れ、かつ、巻線の銅線に傷を発生させる恐れがなく、電気絶縁性に優れた安価なコア絶縁ケース及びコイル部品を提供すること。【解決手段】  トロイダルコア１を内部に収納するためのケース部１０とケース部１０に嵌合するフタ部１１とからなり、ケース部１０は外周円筒部２１、内周円筒部２２、および外周円筒部２１と内周円筒部２２の下端の間に形成された円環状の底部２３とからなり、フタ部１１は円環形状を有し、フタ部１１の外周部に設けた爪部１６とケース部１０の外周円筒部２１の上端に設けた受け部１２により互いに嵌合し、フタ部１１の内側には、トロイダルコアに押圧を加えるためのバネ性を有する突起部１３が形成されている。【選択図】図３
2011113995.tif 000002
【特許請求の範囲】
【請求項１】
トロイダルコアを収納するためのコア絶縁ケースであって、前記トロイダルコアを内部に収納するためのケース部と該ケース部に嵌合するフタ部とからなり、前記ケース部は外周円筒部、内周円筒部、および前記外周円筒部と前記内周円筒部の下端の間に形成された円環状の底部とからなり、前記フタ部は円環形状を有し、前記ケース部の上端に嵌合するように形成され、前記ケース部の上端の少なくとも一部および前記フタ部の少なくとも一部に互いに嵌合する部分が設けられ、前記フタ部の内側には、前記トロイダルコアに押圧を加えるためのバネ性を有する突起部が少なくとも１つ以上形成されていることを特徴とするコア絶縁ケース。
【請求項２】
前記バネ性を有する突起部を複数個有し、該突起部は前記フタ部の円環形状の中心に対して対称に配置されていることを特徴とする請求項１に記載のコア絶縁ケース。
【請求項３】
前記の互いに嵌合する部分は、前記フタ部の外周部に設けた外周方向に張り出した爪部と該爪部に嵌合する前記ケース部の外周円筒部の上端に設けた内周方向に張り出した受け部、または、前記フタ部の内周部に設けた内周方向に張り出した爪部と該爪部に嵌合する前記ケース部の内周円筒部の上端に設けた外周方向に張り出した受け部を含むことを特徴とする請求項１または２に記載のコア絶縁ケース。
【請求項４】
前記フタ部の外周部に設けた外周方向に張り出した爪部、または、前記フタ部の内周部に設けた内周方向に張り出した爪部は、前記のバネ性を有する突起部が設けられた部分の外周または内周以外の部分に設けられていることを特徴とする請求項３項に記載のコア絶縁ケース。
【請求項５】
前記フタ部の外周部に設けた外周方向に張り出した爪部と該爪部に嵌合する前記ケース部の外周円筒部の上端に設けた内周方向に張り出した受け部の少なくとも一方、または、前記フタ部の内周部に設けた内周方向に張り出した爪部と該爪部に嵌合する前記ケース部の内周円筒部の上端に設けた外周方向に張り出した受け部の少なくとも一方は、外周または内周全体にわたって形成されていることを特徴とする請求項３に記載のコア絶縁ケース。
【請求項６】
前記の互いに嵌合する部分は、前記フタ部の内周部に設けた下方向の凸部と該凸部に嵌合する前記ケース部の内周円筒部の上端に設けた凹部、または、前記フタ部の外周部に設けた下方向の凸部と該凸部に嵌合する前記ケース部の外周円筒部の上端に設けた凹部を含むことを特徴とする請求項１〜５のいずれか１項に記載のコア絶縁ケース。
【請求項７】
前記フタ部の内周部に設けた下方向の凸部と該凸部に嵌合する前記ケース部の内周円筒部の上端に設けた凹部、または、前記フタ部の外周部に設けた下方向の凸部と該凸部に嵌合する前記ケース部の外周円筒部の上端に設けた凹部は、外周または内周全体にわたって形成されていることを特徴とする請求項６に記載のコア絶縁ケース。
【請求項８】
前記トロイダルコアを収納した状態で該トロイダルコアが露出しないように構成されていることを特徴とする請求項１〜７のいずれか１項に記載のコア絶縁ケース。
【請求項９】
前記フタ部のバネ性を有する突起部は板状であり、その突出高さは１．５ｍｍ以上であることを特徴とする請求項１〜８のいずれか１項に記載のコア絶縁ケース。
【請求項１０】
請求項１〜９のいずれか１項に記載のコア絶縁ケースを用いたことを特徴とするコイル部品。
【発明の詳細な説明】
【技術分野】
【０００１】
本発明は、電子回路などに用いられるコイル部品のトロイダルコアを収納するコア絶縁ケース及びコイル部品に関する。
【背景技術】
【０００２】
電子回路などにおいて、インダクタンス素子やチョークコイルなどのノイズ除去素子としてトロイダルコアに巻線を施したコイル部品が使用されている。従来、トロイダルコアに巻線を施す場合は、トロイダルコアと巻線との間の電気絶縁性を確保するために、トロイダルコア表面に電気絶縁塗料を塗るか、またはトロイダルコアをコア絶縁ケースに収納して巻線をしていた。コア絶縁ケースに収納して巻線する方法は、電気絶縁塗料を塗る方法に比べて工程が手軽に行えることや電気絶縁性に優れているという利点があり、特許文献１にその一例が示されている。
【０００３】
図７、図８は従来のコア絶縁ケースの一例を示す図であり、図７は外観斜視図、図８は分解斜視図である。図７および図８に示すように、従来のコア絶縁ケースは、トロイダルコア１をそれぞれ上下から包んでトロイダルコアの厚み（高さ）の中央付近（突き合わせ部分７）で突き合わされる２個の有底二重円筒体２および３からなっている。有底二重円筒体２および３はそれぞれ外周円筒部４、内周円筒部５、およびそれらの一端の間に形成された円環状の底部６とでトロイダルコア収納空間を形成している。
【０００４】
トロイダルコア１を有底二重円筒体２および３のそれぞれのコア収納空間に挿入した場合、トロイダルコア１が有底二重円筒体２および３から脱落しないようにして、尚かつ、トロイダルコアのガタツキを防止するために、底部６に円周方向に設けたスリット８により外周円筒部４が径方向に弾性変形可能に形成され、さらに、そのスリット８が設けられた部分の外周円筒部４の内側に設けた凸部９が、トロイダルコア１の外周面を径方向に押圧してトロイダルコア１を保持するように構成されている。
【先行技術文献】
【特許文献】
【０００５】
【特許文献１】特開２００２−２２２７１５号公報
【発明の概要】
【発明が解決しようとする課題】
【０００６】
従来のコア絶縁ケースは、図７、図８のようにトロイダルコア１の外周面を径方向に押圧するためにスリット８を設けたが、これによりスリット８よりトロイダルコア１が露出してしまうという外観上の欠点があった。また、外周円筒部４が弾性変形することにより、有底二重円筒体２および３が変形してしまい外観上好ましくないという問題もあった。
【０００７】
また、従来のコア絶縁ケースは、トロイダルコア１の厚み寸法バラツキにより、上下から突き合わされる２個の有底二重円筒体２および３の突き合わせ部分７に隙間が生ずる場合があり、その隙間からトロイダルコア１が露出するという外観上の欠点があった。
【０００８】
また、上記のようにスリット８や隙間からトロイダルコア１が露出することにより、巻線に使用する銅線が太い場合に銅線がめり込んでしまい、トロイダルコア１と銅線が接触することにより、銅線が損傷することがあった。また、トロイダルコアは絶縁体ではないので銅線がトロイダルコアに直接接触すると電気絶縁特性が劣化してしまうという問題もあった。
【０００９】
そこで本発明の課題は、変形し難く、かつ、収納したトロイダルコアが露出し難いことにより外観上優れ、かつ、巻線の銅線に傷を発生させる恐れがなく、電気絶縁性に優れた安価なコア絶縁ケース及びコイル部品を提供することにある。
【課題を解決するための手段】
【００１０】
上記の課題を解決するために、本発明のコア絶縁ケースは、トロイダルコアを収納するためのコア絶縁ケースであって、前記トロイダルコアを内部に収納するためのケース部と該ケース部に嵌合するフタ部とからなり、前記ケース部は外周円筒部、内周円筒部、および前記外周円筒部と前記内周円筒部の下端の間に形成された円環状の底部とからなり、前記フタ部は円環形状を有し、前記ケース部の上端に嵌合するように形成され、前記ケース部の上端の少なくとも一部および前記フタ部の少なくとも一部に互いに嵌合する部分が設けられ、前記フタ部の内側には、前記トロイダルコアに押圧を加えるためのバネ性を有する突起部が少なくとも１つ以上形成されていることを特徴とする。
【００１１】
ここで、前記バネ性を有する突起部を複数個有し、該突起部は前記フタ部の円環形状の中心に対して対称に配置されていることが望ましい。
【００１２】
また、前記の互いに嵌合する部分は、前記フタ部の外周部に設けた外周方向に張り出した爪部とこれに嵌合する前記ケース部の外周円筒部の上端に設けた内周方向に張り出した受け部、または、前記フタ部の内周部に設けた内周方向に張り出した爪部とこれに嵌合する前記ケース部の内周円筒部の上端に設けた外周方向に張り出した受け部を含むことが望ましい。
【００１３】
この場合、前記フタ部の外周部に設けた外周方向に張り出した爪部、または、前記フタ部の内周部に設けた内周方向に張り出した爪部は、前記のバネ性を有する突起部が設けられた部分の外周または内周以外の部分に設けられていてもよい。
【００１４】
また、前記フタ部の外周部に設けた外周方向に張り出した爪部とこれに嵌合する前記ケース部の外周円筒部の上端に設けた内周方向に張り出した受け部の少なくとも一方、または、前記フタ部の内周部に設けた内周方向に張り出した爪部とこれに嵌合する前記ケース部の内周円筒部の上端に設けた外周方向に張り出した受け部の少なくとも一方は、外周または内周全体にわたって形成されていてもよい。
【００１５】
また、前記の互いに嵌合する部分は、前記フタ部の内周部に設けた下方向の凸部とこれに嵌合する前記ケース部の内周円筒部の上端に設けた凹部、または、前記フタ部の外周部に設けた下方向の凸部とこれに嵌合する前記ケース部の外周円筒部の上端に設けた凹部を含んでいてもよい。
【００１６】
この場合、前記フタ部の内周部に設けた下方向の凸部とこれに嵌合する前記ケース部の内周円筒部の上端に設けた凹部、または、前記フタ部の外周部に設けた下方向の凸部とこれに嵌合する前記ケース部の外周円筒部の上端に設けた凹部は、外周または内周全体にわたって形成されていることが望ましい。
【００１７】
また、前記トロイダルコアを収納した状態で該トロイダルコアが露出しないように構成されていることが望ましい。
【００１８】
また、前記フタ部のバネ性を有する突起部は板状であり、その突出高さは１．５ｍｍ以上であってもよい。
【００１９】
また、本発明によれば、上記のコア絶縁ケースを用いたコイル部品が得られる。
【発明の効果】
【００２０】
本発明では、上記のようにトロイダルコアが露出しないようにフタ部の縁に外側に張り出した爪部があり、ケ−ス部の上端にその爪部が嵌合する凸部を設けることにより、トロイダルコアが露出することを防止できる。さらに、トロイダルコア１が露出しないことにより、巻線時に銅線が傷付くのを防止できる。
【００２１】
また、コア絶縁ケースが変形することを防止するため、およびコア絶縁ケース内でのトロイダルコアのガタツキを防止するために、フタ部の内側に突起部があり、これによりトロイダルコアを上方から押さえる構造になっている。この突起部を複数個設け、それを中心に対して対称に配置することによりさらにその効果を高めることができる。
【００２２】
以上のように、本発明により、変形し難く、かつ、収納したトロイダルコアが露出し難いことにより外観上優れ、かつ、巻線の銅線に傷を発生させる恐れがなく、電気絶縁性に優れた安価なコア絶縁ケース及びコイル部品が得られる。
【図面の簡単な説明】
【００２３】
【図１】本発明によるコア絶縁ケースの一実施の形態を示す外観斜視図。
【図２】本発明によるコア絶縁ケースの一実施の形態を示す分解斜視図。
【図３】本発明によるコア絶縁ケースの一実施の形態を示す断面図。
【図４】本実施の形態のコア絶縁ケースに用いるケース部の断面図。
【図５】本実施の形態のコア絶縁ケースに用いるフタ部の説明図。図５（ａ）は側面図、図５（ｂ）は底面図。
【図６】本実施の形態のコア絶縁ケースに用いるフタ部の拡大断面図。
【図７】従来のコア絶縁ケースの一例を示す外観斜視図。
【図８】従来のコア絶縁ケースの一例を示す分解斜視図。
【発明を実施するための形態】
【００２４】
以下、本発明の実施の形態について、図面を参照して詳細に説明する。
【００２５】
図１〜図３は本発明によるコア絶縁ケースの一実施の形態を示す図であり、図１は外観斜視図、図２は分解斜視図、図３は断面図である。また、図４は本実施の形態のコア絶縁ケースに用いるケース部の断面図、図５はフタ部の説明図であり、図５（ａ）は側面図、図５（ｂ）は底面図、図６はフタ部の拡大断面図である。
【００２６】
図１、図２に示すように、本実施の形態のコア絶縁ケースは、トロイダルコア１を収納するためのコア絶縁ケースであって、トロイダルコア１を内部に収納するためのケース部１０とケース部１０に嵌合するフタ部１１とからなり、図４に示すように、ケース部１０は外周円筒部２１、その内側にある内周円筒部２２、および外周円筒部２１と内周円筒部２２の下端の間に形成された円環状の底部２３とからなり、図５、図６に示すように、フタ部１１は円環形状を有し、ケース部１０の上端に嵌合するように形成され、図３〜６に示すように、ケース部１０の上端およびフタ部１１の外周部および内周部に互いに嵌合する部分が設けられており、フタ部１１の内側には、トロイダルコアに押圧を加えるためのバネ性を有する突起部１３が４つ形成されている。ここで、４つの突起部１３はフタ部１１の円環形状の中心に対して対称に配置されている。
【００２７】
また、上記の互いに嵌合する部分は、フタ部１１の外周部に設けた外周方向に張り出した爪部１６とこれに嵌合するケース部１０の外周円筒部２１の上端に設けた内周方向に張り出した凸状の受け部１２、およびフタ部１１の内周部に設けた下方向の凸部１５とこれに嵌合するケース部１０の内周円筒部２２の上端に設けた凹部１４からなっている。
【００２８】
また、本実施の形態においては、図５に示すように、フタ部１１の外周部に設けた外周方向に張り出した爪部１６は、突起部１３が設けられた部分の外周以外の部分に設けられている。これはフタ部１１を金型を使って一体成型する場合に製造を容易とするためである。なお、図２に示すように、ケース部１０の外周円筒部２１上端の受け部１２は外周全体にわたって形成されている。
【００２９】
また、図２に示すように、フタ部１１の内周部に設けた下方向の凸部１５とこれに嵌合するケース部１０の内周円筒部２２の上端に設けた凹部１４は、内周全体にわたって形成されている。
【００３０】
以上のように、本実施の形態のコア絶縁ケースのケ−ス部１０の受け部１２は、巻線時の応力にてフタ部１１が容易に脱落しないように外周全体に設けられている。さらに、受け部１２が外周全体にあること、およびフタ部１１の内周部に設けた下方向の凸部１５とこれに嵌合するケース部１０の内周円筒部２２の上端に設けた凹部１４が内周全体にわたって形成されていることにより、外観上、トロイダルコア１が露出しない構造となっている。
【００３１】
図５に示すように、フタ部１１には突起部１３を４個設けているが、トロイダルコアを安定的に押さえるために中心に対して対称な４方向に形成している。また、爪部１６は巻線時の応力によって容易に脱落しないように外周全体にあるのが望ましいが、一体成型可能な構造とするために、フタ部１１の爪部１６は突起部１３が形成されている部分の外周以外の部分に設けたものである。
【００３２】
本実施の形態のコア絶縁ケースは、図１〜図３に示すようにトロイダルコア１をケース部１０に挿入し、上方向からフタ部１１を嵌合させる。このことにより、トロイダルコアと巻線との間の電気絶縁を確保して巻線を施すことが可能となる。
【実施例】
【００３３】
次に、上記の実施の形態のコア絶縁ケースの具体的な一実施例を説明する。図１に示すケース部１０とフタ部１１の材料には例えばＰＰ（ポリプロピレン）樹脂を使用することができ、電気絶縁性、耐熱性、バネ性が同等であれば他の材料も使用できる。フタ部とケース部を含めたコア絶縁ケースの外形は収納するトロイダルコアの形状によって異なるが、一般的には外径は５〜４０ｍｍ程度、内径は２〜２０ｍｍ程度、厚み（高さ）は５〜３０ｍｍ程度である。
【００３４】
また、図３に示すフタ部１１の突起部１３の高さは１．５ｍｍ程度とすることができ、この場合、トロイダルコア１の厚みの公差が±０．５ｍｍの範囲内であれば、突起部１３のバネ性を利用してトロイダルコア１を厚み方向から常に押さえることが可能となる。また、外観上もコア絶縁ケースが変形しない程度の押圧が得られる。なお、突起部１３の高さはトロイダルコアおよびコア絶縁ケースの形状やトロイダルコアの厚みの精度などによって最適な値を選択できる。
【００３５】
以上のように、本発明により、コア絶縁ケースの変形を防止でき、外観上優れ、かつ、電気絶縁性に優れた安価なコア絶縁ケース及びコイル部品が得られる。
【００３６】
なお、本発明は上記の実施の形態に限定されるものではないことはいうまでもなく、目的や用途に応じて各部の形状、材料など設計変更可能である。例えば、上記の実施の形態では、互いに嵌合する部分は、フタ部の外周部に設けた外周方向に張り出した爪部とこれに嵌合するケース部の外周円筒部の上端に設けた内周方向に張り出した凸状の受け部、およびフタ部の内周部に設けた下方向の凸部とこれに嵌合するケース部の内周円筒部の上端に設けた凹部からなっているが、フタ部の内周部に爪部、ケース部の内周円筒部に受け部を設け、フタ部の外周部に下方向の凸部、ケース部の外周円筒部に凹部を設けて嵌合しても良い。またトロイダルコアを押さえる突起部の数を増減することも可能であり、フタ部の製造方法を工夫すればフタ部の外周全体に爪部を設けることも可能である。さらに、フタ部およびケース部の内周および外周の両方の一部または全体に爪部と受け部を形成することも可能である。さらに、ケース部とフタ部の互いに嵌合する部分の形態も、上記の実施の形態のような爪部と受け部以外の形態も可能である。また、目的によっては、外観や巻線に影響を及ぼさない部分に、収納したトロイダルコアを確認するための穴などを設けることも可能である。
【符号の説明】
【００３７】
１  トロイダルコア
２、３  有底二重円筒体
４、２１  外周円筒部
５、２２  内周円筒部
６、２３  底部
７  突き合わせ部分
８  スリット
９  凸部
１０  ケース部
１１  フタ部
１２  受け部
１３  突起部
１４  凹部
１５  凸部
１６  爪部
【図１】
2011113995.tif 000003
【図２】
2011113995.tif 000004
【図３】
2011113995.tif 000005
【図４】
2011113995.tif 000006
【図５】
2011113995.tif 000007
【図６】
2011113995.tif 000008
【図７】
2011113995.tif 000009
【図８】
2011113995.tif 000010